(57)【要約】【課題】デジタルラジオ音声信号の不要な音質劣化を防止することで、ユーザへの音質違和感を軽減する。【解決手段】ラジオ受信装置は、ラジオ受信部と、信号出力部と、信号処理回路とを備え、信号処理回路は、第１のデジタルラジオ放送を受信するようにラジオ受信部を設定すると共に、第１のデジタルラジオ放送を復調することにより生成された第１の音声信号を出力信号として設定し、第１のデジタルラジオ放送と同一音声を放送する第２のラジオ放送の受信可否を判定し、第１のデジタルラジオ放送の受信状態を判定し、第１のデジタルラジオ放送の受信状態が悪化し、且つ第２のラジオ放送が受信可能な場合、第２のラジオ放送を復調することにより生成された第２の音声信号を出力信号として設定し、第１のデジタルラジオ放送の受信状態が悪化し、且つ第２のラジオ放送が受信できない場合、ノイズ信号を出力信号として設定する。【選択図】図２
2018152653.tif 000002
【特許請求の範囲】
【請求項１】
ラジオ放送を受信および復調するラジオ受信部と、
音声再生装置に出力信号を送信する信号出力部と、
信号処理回路とを備え、
前記信号処理回路は、
第１のデジタルラジオ放送を受信するように前記ラジオ受信部を設定すると共に、前記第１のデジタルラジオ放送を復調することにより生成された第１の音声信号を前記出力信号として設定し、
前記第１のデジタルラジオ放送と同一音声を放送する第２のラジオ放送の受信可否を判定し、
前記第１のデジタルラジオ放送の受信状態を判定し、
前記第１のデジタルラジオ放送の受信状態が悪化し、且つ前記第２のラジオ放送が受信可能な場合、前記第２のラジオ放送を復調することにより生成された第２の音声信号を前記出力信号として設定し、
前記第１のデジタルラジオ放送の受信状態が悪化し、且つ前記第２のラジオ放送が受信できない場合、ノイズ信号を前記出力信号として設定する、
ラジオ受信装置。
【請求項２】
前記ラジオ受信部は、前記第１のデジタルラジオ放送を受信するデジタルラジオ受信部と、アナログラジオ放送を受信するアナログラジオ受信部を有し、
前記ノイズ信号は、前記第１のデジタルラジオ放送の周波数を受信するように前記アナログラジオ受信部を設定した際に前記アナログラジオ受信部により生成される信号である、請求項１に記載のラジオ受信装置。
【請求項３】
前記信号処理回路は、前記アナログラジオ受信部の受信状態に応じて前記ノイズ信号のレベルを調整する、
請求項２に記載のラジオ受信装置。
【請求項４】
前記信号処理回路は、
前記ラジオ受信部が前記第１のデジタルラジオ放送を復調することにより生成されるデータから、前記第２のラジオ放送の放送局を示す放送局識別子を読み取り、
前記放送局識別子が存在し、且つ前記放送局識別子が示す放送局の放送が良好な受信状態で受信可能な場合に、前記第２のラジオ放送が受信可能であると判定し、
前記放送局識別子が存在しない場合、あるいは前記放送局識別子が存在するが前記放送局識別子が示す放送局の放送が良好な受信状態で受信できない場合に、前記第２のラジオ放送が受信できないと判定する、
請求項１から３の何れかに記載のラジオ受信装置。
【請求項５】
前記信号処理回路は、
前記第１の音声信号を第１の遅延時間、遅延させ、
前記第１の音声信号から前記第２の音声信号または前記ノイズ信号へと前記出力信号を切替える期間において、前記第１の音声信号と前記第２の音声信号との合成信号、または前記第１の音声信号と前記ノイズ信号との合成信号を前記出力信号として設定し、
前記期間は前記第１の遅延時間以下である、
請求項１から４の何れかに記載のラジオ受信装置。
【請求項６】
前記信号処理回路は、前記第２のラジオ放送が前記第１のデジタルラジオ放送よりもタイミングが早く放送されており且つ受信状態が良好な第２のデジタルラジオ放送であった場合、前記第１のデジタルラジオ放送の受信状態の判定結果によらず、前記第２の音声信号を前記出力信号として設定する、
請求項１から５の何れかに記載のラジオ受信装置。
【請求項７】
ラジオ受信装置に搭載されたコンピュータで実行されるプログラムであって、
第１のデジタルラジオ放送を受信するようにラジオ受信部を設定すると共に、第１のデジタルラジオ放送を復調することにより生成された第１の音声信号を出力信号として設定するステップと、
第１のデジタルラジオ放送と同一音声を放送する第２のラジオ放送の受信可否を判定するステップと、
前記第１のデジタルラジオ放送の受信状態を判定するステップと、
前記第１のデジタルラジオ放送の受信状態が悪化し、且つ前記第２のラジオ放送が受信可能な場合、前記第２のラジオ放送を復調することにより生成された第２の音声信号を前記出力信号として設定するステップと、
前記第１のデジタルラジオ放送の受信状態が悪化し、且つ前記第２のラジオ放送が受信できない場合、ノイズ信号を前記出力信号として設定するステップと、
を備えるプログラム。
【発明の詳細な説明】
【技術分野】
【０００１】
本発明は、デジタルラジオであるＤＡＢ（Digital Audio Broadcast）等のサイマル放送を受信するラジオ受信装置、およびラジオ受信装置に搭載されたコンピュータで実行されるプログラムに関するものである。
【背景技術】
【０００２】
ＤＡＢは、変調方式にはＯＦＤＭ（Orthogonal Frequency Division Multiplexing）を採用し、欧州を中心に普及するデジタルラジオ音声放送のひとつである。ＤＡＢでは同一音声を継続して聴取するための以下の技術を備えている。
【０００３】
ＤＡＢの音声信号データは、隣接ノイズやマルチパスの影響などで受信電波の品質が悪くなり、音声データが欠落してしまうことがある。このような音声データの欠落により音声再生できなくならないように、一定以下の誤りを訂正可能な符号が予め付与されており、それらが周波数軸と時間軸でインターリーブ処理が施されて送信されている。この処理により、一定以上に受信状態が悪化するまではＤＡＢの音声信号を劣化させることなく聴取できる。
【０００４】
また、ＤＡＢでは同一番組を放送するＤＡＢ放送（デジタルラジオ放送）とＦＭ放送（アナログラジオ放送）がネットワークを形成し、全体で広い放送エリアを確保している。ＤＡＢ放送を受信中に受信電波の品質が悪くなってきた場合、音声を継続して聴取させるために、同一番組を放送するＦＭ放送へ切り替えるＤＡＢ−ＦＭリンク機能や、同一番組を放送する別のＤＡＢ放送へ切り替えるＤＡＢ−ＤＡＢリンク機能がある。これらの機能を用いることで、ネットワークのエリア内であれば長距離を移動してもユーザ操作なしに継続して同一番組の放送を聴取することができる。
【０００５】
従来のＤＡＢ放送を受信するラジオ受信装置として、デジタルラジオ信号の受信電波の品質が悪化した場合のデジタルノイズの発生を防止するために、音声信号の再生出力をなくし、無音状態とするミュート処理を行う技術がある。しかしながら、ミュート処理はラジオ放送を聴取している時に音声が途切れる、もしくは受信状態が悪い状況が継続する場合は無音状態が長時間継続してしまうため、ユーザに聴感上の違和感の与えてしまうため、故障したかのように感じさせてしまう問題があった。
【０００６】
このような点を改善するものとして、特許文献１では、受信したデジタルラジオ信号のエラーレートを検出し、そのエラーレートに応じて音声の音量レベルを調整した疑似ノイズ音声を受信中のデジタルラジオ音声信号に合成出力することで、アナログラジオ放送受信中に受信電波の品質が悪化したときと同じような動作とし、ユーザへの違和感を軽減させる技術が提案されている。
【先行技術文献】
【特許文献】
【０００７】
【特許文献１】特開２００７−１７３９６７号公報
【発明の概要】
【発明が解決しようとする課題】
【０００８】
しかしながら、特許文献１に記載のデジタル音声放送受信機においては、デジタルラジオ信号の受信電波の品質が悪くなってきた段階で、デジタル音声信号の聴取不可に備えて事前に疑似ノイズ音声の合成を始めてしまうため、音声信号データの誤り訂正技術によってデジタル音声信号を問題なく継続して聴取可能な場合にも、不要に出力音声を劣化させてしまうという問題があった。
【０００９】
本開示は、不要なデジタルラジオ音声信号の音質劣化を防止することでユーザへの音質違和感を軽減できるラジオ受信装置を提供する。
【課題を解決するための手段】
【００１０】
本開示の一側面を反映したラジオ受信装置は、ラジオ放送を受信および復調するラジオ受信部と、音声再生装置に出力信号を送信する信号出力部と、信号処理回路とを備え、信号処理回路は、第１のデジタルラジオ放送を受信するようにラジオ受信部を設定すると共に、第１のデジタルラジオ放送を復調することにより生成された第１の音声信号を出力信号として設定し、第１のデジタルラジオ放送と同一音声を放送する第２のラジオ放送の受信可否を判定し、第１のデジタルラジオ放送の受信状態を判定し、第１のデジタルラジオ放送の受信状態が悪化し、且つ第２のラジオ放送が受信可能な場合、第２のラジオ放送を復調することにより生成された第２の音声信号を出力信号として設定し、第１のデジタルラジオ放送の受信状態が悪化し、且つ第２のラジオ放送が受信できない場合、ノイズ信号を出力信号として設定する。
【００１１】
また本開示の一側面を反映したラジオ受信装置に搭載されたコンピュータで実行されるプログラムは、第１のデジタルラジオ放送を受信するようにラジオ受信部を設定すると共に、第１のデジタルラジオ放送を復調することにより生成された第１の音声信号を出力信号として設定するステップと、第１のデジタルラジオ放送と同一音声を放送する第２のラジオ放送の受信可否を判定するステップと、第１のデジタルラジオ放送の受信状態を判定するステップと、第１のデジタルラジオ放送の受信状態が悪化し、且つ第２のラジオ放送が受信可能な場合、第２のラジオ放送を復調することにより生成された第２の音声信号を出力信号として設定するステップと、第１のデジタルラジオ放送の受信状態が悪化し、且つ第２のラジオ放送が受信できない場合、ノイズ信号を出力信号として設定するステップと、を備える。
【発明の効果】
【００１２】
本開示によれば、デジタルラジオ音声信号の不要な音質劣化を防止することで、ユーザへの音質違和感を軽減できるという効果を奏する。
【図面の簡単な説明】
【００１３】
【図１】本開示の実施の形態におけるラジオ受信装置とその周辺機器の構成を表す機能ブロック図。
【図２】本開示の実施の形態におけるラジオ受信装置の詳細を表す機能ブロック図。
【図３】音声信号の位相差調整およびレベル差調整の一例を示す図。
【図４】本開示の実施の形態におけるラジオ受信装置の動作説明のためのフロー図。
【図５】切替元音声と切替先音声との合成処理を説明する図。
【発明を実施するための形態】
【００１４】
以下、本開示の実施の形態について図面を参照しながら説明する。図１は実施の形態におけるラジオ受信装置とその周辺機器の構成を表すブロック図である。
【００１５】
図１に示すように、このラジオ受信装置１０は、ラジオ受信部４０、位相差調整部５０、レベル差調整部６０、ブレンド部７０、制御部８０から構成され、アンテナ２０とスピーカー３０に接続可能な構成である。詳細は後述する。
【００１６】
アンテナ２０は、ラジオ放送信号を受信し、受信した信号を出力する。なお、アンテナ２０は、デジタルラジオ受信部に接続するアンテナとアナログラジオ受信部に接続するアンテナとで別々のアンテナをそれぞれ接続しても良い。
【００１７】
スピーカー３０（音声再生装置）は、ラジオ受信装置１０より出力される音声信号をアナログ音声として出力する。なお、スピーカー３０はブレンド部７０に接続される形態としているが、ラジオ受信装置１０に内蔵される形態としても良い。
【００１８】
ラジオ受信部４０は、ラジオ放送信号を受信および復調することにより音声信号を生成する、ラジオチューナ―として働く。また、ラジオ受信部４０は、ラジオ放送信号に含まれるその他のデータを取り出す機能を有する。位相差調整部５０、レベル差調整部６０、ブレンド部７０、および制御部８０は、ラジオ受信部４０が生成した音声信号およびその他データを処理する信号処理回路を構成する。
【００１９】
図２は図１のラジオ受信装置１０の詳細図である。
【００２０】
ラジオ受信部４０は、デジタルラジオ受信部４０１、デジタルラジオ受信部４０２、およびアナログラジオ受信部４０３により構成される。デジタルラジオ受信部４０１は、アンテナ２０により受信したラジオ放送信号のうち、デジタルラジオ放送信号に対して、制御部８０から指定された周波数の復調処理、および復号処理を施すことにより、所望の音声信号と、受信状態（例えばビットエラーレートや電界強度）を示す信号と、同一音声切替先の放送局識別子とを出力する。ＤＡＢの放送波は音声信号だけでなく、同一音声を放送しているＤＡＢのデジタルラジオ放送局識別子と、同一音声を放送しているＦＭのアナログラジオ放送局識別子を含んでいる。デジタルラジオ受信部４０２は、デジタルラジオ受信部４０１と同様に、アンテナ２０により受信したラジオ放送信号のうち、デジタルラジオ放送信号に対して、制御部８０から指定された周波数の復調処理、および復号処理を施すことにより、所望の音声信号と、受信状態を示す信号と、同一音声切替先の放送局識別子とを出力する。アナログラジオ受信部４０３は、アンテナ２０により受信したラジオ放送信号のうち、アナログラジオ放送信号に対して、制御部８０から指定された周波数の復調処理、および復号化処理を施すことにより、所望の音声信号と受信状態を示す信号とを出力する。また、アナログラジオ受信部４０３は、ＯＦＤＭを変調方式として用いたデジタルラジオ放送信号を、周波数変調されたアナログラジオ放送信号とみなして復調処理を行うことで、ノイズ音声信号を出力する。
【００２１】
位相差調整部５０は、デジタルラジオ遅延調整部５０１、デジタルラジオ遅延調整部５０２、アナログラジオ遅延調整部５０３により構成される。デジタルラジオ遅延調整部５０１は、デジタルラジオ受信部４０１から得られるデジタルラジオ音声信号を遅延回路（例えばリングバッファメモリ）により所定時間遅延させて出力する。デジタルラジオ遅延調整部５０２は、デジタルラジオ遅延調整部５０１と同様に、デジタルラジオ受信部４０２から得られるデジタルラジオ音声信号を遅延回路により所定時間遅延させて出力する。アナログラジオ遅延調整部５０３はアナログラジオ受信部４０３から得られるアナログラジオ音声信号もしくはノイズ音声信号を遅延回路により所定時間遅延させて出力する。デジタルラジオ遅延調整部５０１、デジタルラジオ遅延調整部５０２、およびアナログラジオ遅延調整部５０３に設定する音声遅延時間は制御部８０により設定される。
【００２２】
レベル差調整部６０は、音声出力中の音声信号と、切替先の音声信号のレベル差を調整する機能を備え、デジタルラジオレベル調整部６０１、デジタルラジオレベル調整部６０２、およびアナログラジオレベル調整部６０３により構成される。デジタルラジオレベル調整部６０１は、デジタルラジオ遅延調整部５０１から得られる遅延調整済みのデジタルラジオ音声信号のレベル調整を行い、レベル調整済みのデジタルラジオ音声信号を出力する。デジタルラジオレベル調整部６０２は、デジタルラジオレベル調整部６０１と同様に、デジタルラジオ遅延調整部５０２から得られる遅延調整済みのデジタルラジオ音声信号のレベル調整を行い、レベル調整済みのデジタルラジオ音声信号を出力する。アナログラジオレベル調整部５０３は、アナログラジオ遅延調整部５０３から得られる遅延調整済みのアナログラジオ音声信号もしくはノイズ音声信号のレベル調整を行い、レベル調整済みのアナログラジオ音声信号もしくはノイズ音声信号を出力する。デジタルラジオレベル調整部６０１、デジタルラジオレベル調整部６０２、アナログラジオレベル調整部６０３に設定する音声レベル調整値は制御部８０により設定される。
【００２３】
ブレンド部７０は、制御部８０から出力音声信号を指定することで、デジタルラジオレベル調整部６０１より出力されるデジタルラジオ音声信号Ａ６０１、デジタルラジオレベル調整部６０２より出力されるデジタルラジオ音声信号Ａ６０２、アナログラジオレベル調整部６０３より出力されるアナログラジオ音声信号もしくはノイズ音声信号Ａ６０３の中から１つの音声信号を選択して、スピーカー３０へ出力する。
【００２４】
一例として、出力する音声信号を切り替える際は、以下のような切替方法を取ることができる。まず、切替元の音声信号と切替先の音声信号とを、制御部８０から指定される所定時間（合成時間）の間だけレベルを調整しながら合成して、生成された合成信号を出力信号として設定する。所定時間の経過後、切替先の音声信号のみを出力信号として設定する。合成処理についての詳細は後述する。
【００２５】
制御部８０は、ラジオ受信部４０から得られる、音声信号と受信状態と同一音声切替先の放送局識別子とに基づき、ラジオ受信部４０と位相差調整部５０とレベル差調整部６０とブレンド部７０とを制御する。制御部８０は受信状態判定部８０１、位相差レベル差調整部８０２、受信音声選局部８０３、出力音声制御部８０４により構成される。
【００２６】
受信状態判定部８０１は、ラジオ受信部４０から得られるビットエラーレートまたは電界強度に基づいて、デジタルラジオ音声信号およびアナログラジオ音声信号の受信状態を判定する。受信状態を判定する方法としては、例えば、音声出力中に電界強度を下げていき、音声が継続して出力できなくなる時点でのビットエラーレートおよび電界強度をそれぞれ閾値として設け、ラジオ受信装置１０内のメモリ（図示せず）に記憶しておく。ラジオ放送受信中にビットエラーレートと電界強度とのどちらかの値が閾値を下回った場合は、受信状態が悪化して音声を継続して出力できなくなったと判定させる。
【００２７】
受信状態判定部８０１は、判定した結果を位相差レベル差調整制御部８０２と受信音声選局部８０３と出力音声制御部８０４とへ出力する。受信音声選局部８０３に対してはラジオ受信部４０から得られる同一音声切替先の放送局識別子も合わせて出力する。
【００２８】
位相差レベル差調整制御部８０２は、ラジオ受信部４０から得られる２つの同一音声信号の位相差とレベル差を計算し、位相差は遅延調整部５０に設定し、レベル差はレベル差調整部６０に設定する。さらに、設定した情報を出力音声制御部８０４に出力する。
【００２９】
ＤＡＢでは、放送局毎に異なるシステムで変調処理と符号化処理された放送波が送信されているため、同一音声のサイマル放送を行うラジオ放送同士であっても、音声信号の位相とレベルは完全に一致していないことが一般的である。そこで、本実施の形態のラジオ受信装置では、ラジオ受信装置側で位相差およびレベル差を測定し、切替元の音声信号と、ＤＡＢ−ＤＡＢリンク機能、ＤＡＢ−ＦＭリンク機能を実施時の切替先の音声信号との、位相差およびレベル差を調整する。図３は音声波形の位相差調整およびレベル差調整の一例を示している。切替元音声（Ａ−１）および切替先音声（Ｂ−１）は、ラジオ音声放送を復調した際に得られた、位相差およびレベル差を調整前の音声信号である。切替先音声（Ｂ−１）は切替元音声（Ａ−１）と比較して早く放送されているため、切替先音声（Ｂ−１）を所定時間遅延し、位相差調整を実施することで切替先音声（Ｂ−２）を出力する。切替先音声（Ｂ−２）は切替元音声（Ａ−１）と比較して音圧レベルが低いため、切替先音声（Ｂ−１）のレベルをレベル差分だけ上げることで切替先音声（Ｂ−３）を出力する。これらの処理を実施することで音声切替時の聴感上の違和感が発生しないようにすることが可能である。なお、位相差調整部５０、レベル差調整部６０、および位相差レベル差調整制御部８０２は、音声切替時の聴感上の違和感を抑えるために有効であるが、必須の構成ではなく、省略することも可能である。
【００３０】
受信音声選局部８０３は、受信状態判定部８０１から得られる同一音声切替先の放送局識別子により、受信しているデジタルラジオ放送（以下、「デジタルラジオ放送Ａ」と表記する）の音声信号と同一音声を放送している他のデジタルラジオ放送（以下、「デジタルラジオ放送Ｂ」と表記する）の有無を判定する。デジタルラジオ放送Ｂがあれば、当該デジタルラジオ放送Ｂを選局するよう、ラジオ受信部４０を設定する。受信音声選局部８０３は、例えば、デジタルラジオ受信部４０１でデジタルラジオ放送Ａを受信している場合は、同一音声を放送しているデジタルラジオ放送Ｂを受信するようデジタルラジオ受信部４０２を設定し、反対にデジタルラジオ放送Ａをデジタルラジオ受信部４０２で音声受信している場合は、同一音声を放送しているデジタルラジオ放送Ｂを受信するようデジタルラジオ受信部４０１を設定する事で、同一音声を放送しているデジタルラジオ放送Ｂを選局する。
【００３１】
受信しているデジタルラジオ放送Ａの音声信号と同一音声を放送しているアナログラジオ放送があれば、受信音声選局部８０３は、当該アナログラジオ放送を受信するようにアナログラジオ受信部４０３に設定する事で、同一音声を放送しているアナログラジオ放送を選局する。
【００３２】
受信しているデジタルラジオ放送Ａの音声信号と同一音声を放送しているデジタルラジオ放送Ｂ、およびアナログラジオ放送がない場合は、受信音声選局部８０３は、受信しているデジタルラジオ放送Ａと同一の周波数を受信するようアナログラジオ受信部４０３を設定する。この時にアナログラジオ受信部４０３が生成する音声信号を、デジタルラジオ放送Ａの受信状態が悪化した場合にスピーカ３０へ出力するためのノイズ音声信号とすることができる。受信音声選局部８０３は、ラジオ受信部４０に設定した選局情報を出力音声制御部８０４に出力する。
【００３３】
出力音声制御部８０４は、受信音声選局部８０３より得られるラジオ受信部４０へ設定した放送局選局情報と、受信状態判定部８０１より得られる受信状態判定結果と、位相差レベル差調整制御部８０２から得られる位相差調整部５０へ設定した位相差およびレベル差調整部６０へ設定したレベル差とに基づき、最終的に出力する切替先音声と合成時間とをブレンド部７０に設定する。
【００３４】
以上のように構成されたラジオ受信装置１０において、以下にその処理動作を説明する。図４は、ユーザがＤＡＢ音声放送を選局してから、受信状態に応じて出力信号を同一番組のＤＡＢ音声またはＦＭ音声、もしくはノイズ音声へと切替えるまでの制御を実施する処理動作フローを示している。
【００３５】
ステップＳ１０では、受信音声選局部８０３により、ＤＡＢ音声放送を選局し、デジタルラジオ受信部４０１でＤＡＢ音声放送の受信を開始し、ステップＳ１１に進む。なお、デジタルラジオ受信部４０２でＤＡＢ音声放送の受信を開始しても良い。
【００３６】
ステップＳ１１では、ＤＡＢ音声放送の受信を開始し、復調処理と復号処理を行う。ここで、復調処理と復号処理によってデジタルラジオ音声出力が可能な状態となっても、スピーカー３０への音声出力を所定時間行わずに待機することで、デジタルラジオ遅延調整部５０１に入力されるデジタルラジオ音声信号をデジタルラジオ遅延調整部５０１自身の内蔵メモリに所定時間溜め込む。次に、ステップＳ１２に進む。なお、ステップＳ１０にてデジタルラジオ受信部４０２によりＤＡＢ音声放送の受信を開始した場合は、デジタルラジオ遅延調整部５０２により、デジタルラジオ音声信号を溜め込む。この処理を実施することでＤＡＢ音声出力を常に所定時間以上の遅延状態に維持することができ、遅延させた分の時間を、選択しているＤＡＢ音声信号の受信状態の悪化を検知した際にブレンド部７０にてユーザに違和感なく放送局を切り替えるためのラジオ音声合成時間として利用することができる。デジタルラジオ音声信号を溜め込む時間はユーザに聴感上の違和感のない時間（例えば、１秒未満の時間）を設定することとする。なお、ＤＡＢ出力音声を引き延ばして再生しながら徐々に遅延調整部にＤＡＢ音声信号を溜め込んでいくことでＤＡＢ音声出力を所定時間待機させずにＤＡＢ音声信号を溜め込んでも良い。
【００３７】
ステップＳ１２では、出力音声制御部８０４により、ブレンド部７０で選択する出力信号として、ステップＳ１０で受信を開始したＤＡＢ音声放送の音声信号を設定することで、ＤＡＢの音声出力を開始する。
【００３８】
ステップＳ１３では、受信状態判定部８０１により、受信中のＤＡＢ放送の音声信号の受信状態を判定する。例えば、受信中のＤＡＢ放送の音声信号に誤りデータはなく、音声劣化なしに継続して提供可能か否かを判定する。受信中のＤＡＢ放送の音声信号を継続して提供可能な場合（ステップＳ１３で“Ｙｅｓ”）は、受信中のＤＡＢ放送の音声信号を継続して出力し、受信状態が悪化し、ＤＡＢ放送の音声信号が提供できなくなるまでこの判定を繰り返し実施する。受信状態が悪化し、ＤＡＢ放送の音声信号の欠落を検知した場合（ステップＳ１３で“Ｎｏ”）は、出力音声信号を切替えるためにステップＳ１４に進む。
【００３９】
ステップＳ１４では、受信音声選局部８０３および受信状態判定部８０１により、ステップＳ１０において受信音声選局部８０３によって選局されたＤＡＢ音声放送と同一音声の他のＤＡＢ音声放送が存在するか否か、および当該他のＤＡＢ音声放送の受信状態が良好で音声切替が可能か否かを判定する。同一音声の他のＤＡＢ音声放送が存在し、且つ受信状態が良好で音声切替が可能な場合、当該他のＤＡＢ音声放送を提供可能であると判定する（ステップＳ１４で“Ｙｅｓ”）。切替え候補となる他のＤＡＢ音声放送のＤＡＢ音声信号は位相差レベル差調整制御部８０２によって位相差とレベル差が調整された状態とする。同一音声のＤＡＢ音声放送を提供可能な場合、ステップＳ１５に進む。同一音声の他のＤＡＢ音声放送が存在しない場合、あるいは同一音声の他のＤＡＢ音声放送が存在するが受信状態が良好ではない場合、同一音声の他のＤＡＢ音声放送を提供できないと判定する（ステップＳ１４で“Ｎｏ”）。同一音声のＤＡＢ音声信号を提供できない場合、ステップＳ１６に進む。
【００４０】
ステップＳ１５では、出力音声制御部８０４により切替先のＤＡＢ音声信号と合成時間をブレンド部７０に設定することで、切替元のＤＡＢ音声信号と切替先のＤＡＢ音声信号とを合成し、所定の合成時間の間、合成信号を出力信号としてスピーカー３０に出力する。合成時間の経過後、切替先のＤＡＢ音声信号が出力信号として設定される。切替処理が完了したらステップＳ１３に戻り同様の処理を繰り返す。なお、切替元のＤＡＢ音声信号と切替先のＤＡＢ音声信号との合成を行わず、所定のタイミングで切替元のＤＡＢ音声信号から切替先のＤＡＢ音声信号へと出力信号を切替えても良い。
【００４１】
図５はブレンド部７０により、切替元の音声信号と切替先の音声信号とを合成する場合の例を示している。ブレンド部７０により、切替元の音声信号のレベルをレベル差調整部６０より出力された音声信号レベルから所定時間徐々に下げた音声信号と、切替先の音声信号のレベルを無音状態からレベル差調整部６０より出力される音声信号レベルまで所定時間徐々に上げた音声信号とを合成して出力する。合成時間は切替元の音声信号に対する遅延時間を用いることでユーザへ違和感なく切り替え完了させる。
【００４２】
ステップＳ１６では、受信音声選局部８０３および受信状態判定部８０１により、ステップＳ１０において受信音声選局部８０３によって選局されたＤＡＢ音声放送と同一音声のＦＭ音声放送をアナログラジオ受信部４０３によって受信可能か否かを判定する。同一音声のＦＭ音声放送が存在し、且つ受信状態が良好で音声切替が可能な場合、同一音声の他のＦＭ音声放送を提供可能であると判定する（ステップＳ１６で“Ｙｅｓ”）。同一音声のＦＭ音声放送が存在しない場合、あるいは同一音声のＦＭ音声放送が存在するが受信状態が良好ではない場合、同一音声のＦＭ音声放送を提供できないと判定する（ステップＳ１６で“Ｎｏ”）。同一音声のＦＭ音声放送を提供可能な場合、ステップＳ１７に進む。同一音声のＦＭ音声信号が提供できない場合、アナログラジオ受信部３０３を、ステップＳ１０において選局されたＤＡＢ音声放送の周波数を選局するように設定し、ステップＳ１８に進む。
【００４３】
ステップＳ１７では、出力音声制御部８０４により、切替先のＤＡＢ音声と合成時間をブレンド部７０に設定することで切替元の音声信号と切替先のＦＭ音声信号とを合成してスピーカー３０に出力する。ステップＳ１５と同様に、ブレンド部７０により、切替元の音声信号のレベルをレベル差調整部６０より出力された音声信号レベルから所定時間徐々に下げた音声信号と、切替先の音声信号の音声信号を無音状態からレベル差調整部６０より出力される音声信号レベルまで所定時間徐々に上げた音声信号とを合成して出力する。合成時間は切替元の音声信号に対する遅延時間を用いることでユーザへ違和感なく切り替え完了させる。例えば、１秒遅延再生中のデジタルラジオ音声出力に対して合成時間を１秒に設定することで、受信中のデジタルラジオの受信状態の悪化を検知してから１秒間はデジタルラジオ音声信号を継続して出力できる。切替処理が完了したらステップＳ１９に進む。
【００４４】
ステップＳ１８では、出力音声制御部８０４により、切替先のＤＡＢ音声信号と合成時間をブレンド部７０に設定することで、切替元の音声信号とアナログラジオ受信部４０３により生成された切替先のノイズ音声信号とを合成してスピーカー３０に出力する。切替え候補先が受信音声選局部８０３にて選局されたノイズ音声信号の場合、受信状態判定部８０１から得られるアナログラジオ放送（アナログラジオ受信部４０３においてアナログラジオ放送として受信されるＤＡＢ音声放送）の電界強度により、電界強度が高い場合はノイズ音声信号のレベル値に低い値、電界強度が低い場合はノイズ音声信号のレベル値に高い値を段階的に設定する。これにより、受信状態が良好な場合はノイズ音声が小さく、受信状態が良好でない場合はノイズ音声が大きくなる。ステップＳ１５と同様に、ブレンド部７０により、切替元の音声信号のレベルをレベル差調整部６０より出力された音声信号レベルから所定時間徐々に下げた音声信号と、切替先の音声信号のレベルを無音状態からレベル差調整部６０より出力される音声信号レベルまで所定時間徐々に上げた音声信号とを合成して出力する。合成時間は切替元の音声信号に対する遅延時間を用いることでユーザへ違和感なく切り替え完了させる。切替処理が完了したらステップＳ１９に進む。
【００４５】
ステップＳ１９では、受信状態判定部８０１により、同一音声のＤＡＢ音声信号の受信状態がデジタルラジオ音声信号を出力できるまで回復するのを監視する。同一音声のＤＡＢ音声信号の受信状態が回復しない場合（ステップＳ１９で“Ｎｏ”）は、出力中のＦＭ音声信号、もしくはノイズ音声信号を継続して出力し、受信状態が良化するまでこの判定を繰り返し実施する。同一音声のＤＡＢ音声信号の受信状態が回復した場合（ステップＳ１９で“Ｙｅｓ”）、ステップＳ１５に進む。なお、ＤＡＢ音声信号の受信状態の回復だけを条件とするのではなく、例えば、受信状態判定部８０１による受信状態が良い状態が一定時間継続してからステップＳ１５に進んでも良い。
【００４６】
本開示において説明した装置の全部又は一部、又は図１および図２の機能ブロック図に記載された機能ブロックの全部又は一部は、半導体装置、半導体集積回路（ＩＣ：Integrated Circuit）、又はＬＳＩ（Large Scale Integration）を含む一つ又は一つ以上の電子回路によって実現されてもよい。ＬＳＩ又はＩＣは、一つのチップに集積されてもよいし、複数のチップを組み合わせて構成されてもよい。ここでは、ＬＳＩやＩＣと呼んでいるが、集積の度合いによって呼び方が変わり、システムＬＳＩ、ＶＬＳＩ(Very Large Scale Integration)、若しくはＵＬＳＩ（Ultra Large Scale Integration）と呼ばれる場合もある。
【００４７】
また、本開示において説明した装置の全部又は一部の機能又は動作は、コンピュータプログラムによって実現することが可能である。コンピュータはＣＰＵ（Central Processing Unit）を備え、プログラムはＲＯＭ（Read Only Memory）、光学ディスク、ハードディスクドライブ、などの非一過性記録媒体に記録される。
【００４８】
各機能又は動作は、ＣＰＵが非一過性記録媒体に格納されているプログラムを呼び出して実行することにより実現される。
【００４９】
以上のように本実施の形態のラジオ受信装置によれば、同一音声の放送局を選局可能な受信音声選局部備えることにより、受信中のＤＡＢ音声信号の受信状態が悪化してきたとしても同一音声に切り替えることが可能だと判断できる場合はノイズ音声と合成しないため、まだ音声劣化させることなく継続して同音声を提供できる場合の不要な音声劣化を回避することができる。
【００５０】
また、遅延調整部を備えることにより、音声出力させるＤＡＢ音声信号を常に遅延させた状態で出力することで、ＤＡＢ音声信号の受信状態が悪化してきてから音声出力ができなくなるまでの間にノイズ音声と合成しないため、受信中のＤＡＢ音声信号を音声劣化させることなく、受信不可時には遅延時間分のノイズ音声との合成によりユーザへの違和感を軽減することができる。
【００５１】
さらに、本実施の形態のラジオ受信装置は、ノイズ音声信号として、受信中のＤＡＢ音声放送と同じ周波数を選局したアナログラジオ受信部の出力音声信号を用いることにより、アナログラジオ受信部とノイズ音声発生部を兼用することができる。さらに、アナログラジオの電界強度を用いてデジタルラジオ受信状態に応じたノイズ音声出力ができるため、デジタルラジオ音声信号のエラーレートが所定の値、例えば５０％を超えて計測不可となった状況でもノイズ音声のレベル調整をすることができる。
【００５２】
なお、本実施の形態において、アナログラジオ受信部とノイズ音声信号の発生部とを兼用する構成としたが、アナログラジオ受信部とノイズ音声信号の発生部を別々の構成としても同様の効果を得ることができる。
【００５３】
また、本実施の形態において、切替元の音声信号と切替先の音声信号とを合成する合成時間を切替元の音声信号に対する遅延時間と同一としたが、当該遅延時間より小さい値を設定してもよい。
【００５４】
また、本実施の形態において、２つのデジタルラジオ受信部と１つのアナログラジオ受信部を備えるラジオ受信装置を記述したが、これに限られたものではない。１つのデジタルラジオ受信部と１つのアナログラジオ受信部を備えるラジオ受信装置としても、同様の効果を得る事ができる。さらに、３つ以上のデジタルラジオ受信部と１つのアナログラジオ受信部を備えるラジオ受信装置としても良い。
【００５５】
また、本実施の形態において、デジタルラジオ放送はＤＡＢ放送を用いたが、これに限られたものではない。インドを中心に採用されるデジタルラジオＤＲＭ（Digital Radio Mondiale）など他の方式のデジタルラジオ放送でも同様の効果を得ることができる。
【００５６】
また、本実施の形態において、受信中のＤＡＢ音声放送のデジタル音声信号が継続提供できなくなるまでは、同一音声のＤＡＢ音声放送への切替え処理を実施しなかったが、受信中のＤＡＢ音声放送よりも音声のタイミングが早く放送されていて、位相差調整による遅延時間を長く設定する必要がある受信状態の良好な同一音声のＤＡＢ音声放送がある場合、ステップＳ１３で“Ｙｅｓ”であった場合でも受信中のＤＡＢ音声放送の出力を維持せずに、ステップＳ１５に進み、受信中のＤＡＢ音声放送の受信状態が悪化するより前に切替処理を実施してもよい。これにより、切替先への音声合成時間をより長く設定することができるため、さらにユーザへの切替時の違和感を軽減できる効果が得られる。
【産業上の利用可能性】
【００５７】
本発明のラジオ受信装置は、ＤＡＢ等のデジタルラジオ放送を受信する移動体向けのラジオ受信装置として有用である。
【符号の説明】
【００５８】
１０  ラジオ受信装置
２０  アンテナ
３０  スピーカー
４０  ラジオ受信部
５０  位相差調整部
６０  レベル差調整部
７０  ブレンド部
４０１、４０２  デジタルラジオ受信部
４０３  アナログラジオ受信部
５０１、５０２  デジタルラジオ遅延調整部
５０３  アナログラジオ遅延調整部
６０１、６０２  デジタルラジオレベル調整部
６０３  アナログラジオレベル調整部
８０１  受信状態判定部
８０２  位相差レベル差調整制御部
８０３  受信音声選局部
８０４  出力音声制御部
【図１】
2018152653.tif 000003
【図２】
2018152653.tif 000004
【図３】
2018152653.tif 000005
【図４】
2018152653.tif 000006
【図５】
2018152653.tif 000007